(57)【特許請求の範囲】
【請求項１】
端末と、前記端末と通信中の標準セルと、前記標準セルのカバレッジ内または周辺に前記標準セルよりセル半径の小さい小セルが存在する通信システムにおいて、前記標準セルが、前記端末を前記小セルにハンドオーバさせるために、ハンドオーバ先の候補となる候補セルの受信品質を測定するための情報を含むモニタセルリストを前記端末に通知する場合のモニタセルリスト通知方法であって、
前記小セルと少なくとも一部のカバレッジが重なるランドマークセルを配置するランドマーク配置ステップと、
前記端末が、前記標準セルから送信される測定要求に基づき前記ランドマークセルの受信品質を測定するランドマークセル受信品質測定ステップと、
前記端末が、前記受信品質を前記標準セルに報告する受信品質報告ステップと、
前記標準セルが、前記報告に基づいて受信品質が最も良いランドマークセルを選択するランドマークセル選択ステップと、
前記標準セルが、前記選択したランドマークセルと少なくとも一部のカバレッジが重なる前記小セルの情報を、前記モニタセルリストに含めて前記端末に通知するモニタセルリスト通知ステップと、
を含むことを特徴とするモニタセルリスト通知方法。
【請求項２】
前記測定要求に基づく測定結果の報告を、前記モニタセルリストに基づく測定結果の報告より短周期で行うよう、前記測定要求で要求する測定内容、報告条件および報告周期を設定することを特徴とする請求項１に記載のモニタセルリスト通知方法。
【請求項３】
端末と、前記端末と通信中の標準セルと、前記標準セルのカバレッジ内または周辺に前記標準セルよりセル半径の小さい小セルが存在する通信システムにおいて、前記標準セルが、前記端末を前記小セルにハンドオーバさせるために、ハンドオーバ先の候補となる候補セルの受信品質を測定するための情報を含むモニタセルリストを前記端末に通知する場合のモニタセルリスト通知方法であって、
前記標準セルが、前記小セルに前記端末の受信品質を測定するよう指示する測定指示を送信する測定指示ステップと、
前記小セルが、前記測定指示に基づいて前記端末の受信品質を測定する受信品質測定ステップと、
前記小セルが、前記受信品質を前記標準セルに報告する受信品質報告ステップと、
前記標準セルが、前記受信品質に基づいて前記候補セルを選択する小セル選択ステップと、
前記標準セルが、前記候補セルの情報を前記モニタセルリストに含めて前記端末に通知するモニタセルリスト通知ステップと、
を含むことを特徴とするモニタセルリスト通知方法。
【請求項４】
前記小セル選択ステップでは、前記受信品質が所定のしきい値を超える小セルを前記候補セルとして選択することを特徴とする請求項３に記載のモニタセルリスト通知方法。
【請求項５】
前記小セル選択ステップでは、前記受信品質が所定のしきい値を超える小セルのうち、前記受信品質が良い順に所定の数の小セルを、前記候補セルとして選択することを特徴とする請求項３に記載のモニタセルリスト通知方法。
【請求項６】
前記標準セルを複数の領域に分割して、前記小セルの中から、前記領域ごとに１つのランドマークセルを選択し、
前記測定指示ステップでは、前記測定指示の送信対象を前記ランドマークセルとし、
前記小セル選択ステップでは、前記受信品質が所定のしきい値を超えるランドマークセルと、そのランドマークセルと同一の領域に属しかつランドマークセルとして選択されていない小セルと、を前記候補セルとして選択することを特徴とする請求項３に記載のモニタセルリスト通知方法。
【請求項７】
前記標準セルが、前記端末の受信品質を測定し、その測定結果に基づいて前記端末との距離を算出する距離算出ステップと、
前記標準セルが、前記距離に基づいて端末が存在する可能性のある領域を前記複数の領域から推定領域として求める領域推定ステップと、
をさらに含み、
前記測定指示ステップでは、前記測定指示の送信対象を、前記推定領域に属するランドマークセルと、前記推定領域に隣接する領域のランドマークセルとすることを特徴とする請求項６に記載のモニタセルリスト通知方法。
【請求項８】
前記標準セルが、前記端末の受信品質を測定する端末受信品質測定ステップ、
をさらに含み、
前記標準セルが、前記端末受信品質測定ステップで測定した受信品質に基づいて、前記しきい値を決定することを特徴とする請求項４〜６のいずれか１つに記載のモニタセルリスト通知方法。
【請求項９】
前記標準セルが、前記距離算出ステップで測定した受信品質に基づいて、前記しきい値を決定することを特徴とする請求項７に記載のモニタセルリスト通知方法。
【請求項１０】
前記標準セルが、前記端末の受信品質の測定に必要な測定情報を、前記標準セルのカバレッジ内または周辺の小セルに送信することを特徴とする請求項の３〜９のいずれか１つに記載のモニタセルリスト通知方法。
【請求項１１】
前記測定情報に前記標準セルが前記端末から受信した前記端末の送信電力情報を含み、
前記受信品質測定ステップでは、前記小セルが、前記送信電力情報に基づいて受信感度を調整することを特徴とする請求項１０に記載のモニタセルリスト通知方法。
【請求項１２】
端末と、前記端末と通信中の標準セルと、前記標準セルのカバレッジ内または周辺に前記標準セルよりセル半径の小さい小セルが存在し、前記標準セルが、前記端末を前記小セルにハンドオーバさせるために、ハンドオーバ先の候補となる候補セルの受信品質を測定するための情報を含むモニタセルリストを前記端末に通知する通信システムであって、
前記小セルと少なくとも一部のカバレッジが重なるランドマークセルを含み、
前記端末が、前記標準セルから送信される測定要求に基づき前記ランドマークセルの受信品質を測定し、また、前記受信品質を前記標準セルに報告し、
前記標準セルが、前記報告に基づいて受信品質が最も良いランドマークセルを選択し、前記選択したランドマークセルと少なくとも一部のカバレッジが重なる前記小セルの情報を前記モニタセルリストに含めて前記端末に通知することを特徴とする通信システム。
【請求項１３】
端末と、前記端末と通信中の標準セルと、前記標準セルのカバレッジ内または周辺に前記標準セルよりセル半径の小さい小セルが存在し、前記標準セルが、前記端末を前記小セルにハンドオーバさせるために、ハンドオーバ先の候補となる候補セルの受信品質を測定するための情報を含むモニタセルリストを前記端末に通知する通信システムであって、
前記小セルが、前記標準セルからの指示に基づいて前記端末の受信品質を測定し、前記受信品質を前記標準セルに報告し、
前記標準セルが、前記受信品質に基づいて前記候補セルを選択し、前記候補セルの情報を前記モニタセルリストに含めて前記端末に通知することを特徴とする通信システム。
【発明の詳細な説明】
【技術分野】
【０００１】
本発明は、移動端末のハンドオーバ先候補のセル情報を通知するモニタセルリスト通知方法および通信システムに関する。
【背景技術】
【０００２】
近年、ＵＭＴＳ（Universal  Mobile  Telecommunications  System）などのセルラシステムにおいて、屋内にも無線カバレッジを拡大させるために、超小型の無線基地局を家庭や商用施設内に設置して生成するフェムトセルが注目を浴びている。フェムトセルは屋内の無線通信を提供するため、無線カバレッジは小さく、セル内で同時通信可能な端末数も少ないが、無線伝送能力は屋外をカバーするマクロセルと同等であり、有限の無線リソースを限られた空間・端末で独占使用することができる。このため、フェムトセルは、端末あたりの無線伝送速度を向上させることができ、ホットスポットとしての役割も期待されている。
【０００３】
フェムトセルを含む通信システムで、より高品質な無線通信を提供するために、フェムトセルが使用可能なエリアでは端末をマクロセルからフェムトセルへハンドオーバさせ、できるだけフェムトセルを使用する方が良い。また、ユーザの利便性を考慮すれば、マクロセルからフェムトセル、またはフェムトセルからマクロセルへのハンドオーバはユーザが意識せずに自動的に行われることが望ましい。従来のセルラシステム、たとえば、ＵＭＴＳでは、端末が、通信中のセルとその周辺に存在するセルの無線品質を測定し、その測定結果を用いて常に良好な通信品質が保たれるようにハンドオーバを行うための技術が規格化されている（下記非特許文献１および非特許文献２参照）。このような従来技術によれば、ネットワークはハンドオーバ先候補セルのリスト（モニタセルリスト）を報知メッセージや測定要求メッセージを用いて端末に通知し、端末にモニタセルの無線品質の測定とその結果の報告を指示する。そして、ネットワークは、たとえば、端末が通信中のセルの無線品質が、その端末から報告された測定結果の中で最も品質の良いものを下回った場合、その最も品質の良いセルへ端末をハンドオーバさせる。
【０００４】
また、下記特許文献１では、特定の無線通信システムのカバーエリア内でホットスポットを提供する他の無線通信システムがある場合に、特定の無線通信システムで通信中の端末に対してそのホットスポットの存在を通知することにより、異なる無線通信システム間のハンドオーバを円滑に実施する技術が開示されている。
【０００５】
【特許文献１】特表２００７−５３４２２２号公報
【非特許文献１】3GPP，“RRC  protocol  specification”，TS25.331，V6.16.0，2007-12
【非特許文献２】3GPP，“UE  procedures  in  idle  mode  and  procedures  for  cell  reselection  in  connected  mode”，TS25.304，Ｖ6.9.0，2006-3
【発明の開示】
【発明が解決しようとする課題】
【０００６】
マクロセルのカバーエリアは、屋外の通信エリアを効率良くカバーするためにフェムトセルのカバーエリアに比べて広大であり、一般にマクロセル内またはその周辺に非常に多くのフェムトセルが存在し得る。一方、端末がハンドオーバのために無線品質を測定するセルの数は、端末の測定負荷や測定精度上の制約から有限となり、たとえば、ＵＭＴＳでは３２と規定されている。したがって、マクロセル内およびその周辺の全てのフェムトセルの無線品質を測定できない場合がある。このような環境下でマクロセルからフェムトセルへ端末をハンドオーバさせるためには、マクロセル内での端末の位置を特定し、端末周辺に存在するフェムトセルを選択して無線品質を測定するセル（モニタセル）として端末に通知する必要がある。
【０００７】
しかし、上記従来のセルラシステムでは、端末の位置に応じて通知するモニタセルを選択する方法について何ら開示されていない。そのため、マクロセルで通信中の端末は近くにフェムトセルが存在するにも関わらずハンドオーバすることができずにマクロセルでの通信を継続し、フェムトセルの無線帯域が有効に活用されない、という問題があった。また、屋外から屋内へ端末が移動した場合、マクロセルからフェムトセルへのハンドオーバが適切にできず、屋内移動時に通信が切断される、という問題があった。
【０００８】
一方、上記特許文献１では、無線通信システムのセルの内部または周辺に存在する異なる無線通信システムのホットスポットの存在を無線通信システムの種別によらず端末に通知することによって、端末の異種無線通信システム間ハンドオーバを円滑にすることができる。しかし、ホットスポットが端末の周辺に存在するか否かについての情報の取得方法については何ら開示されていない。このため、端末の近くに存在するセルについての情報が得られるとは限らない、という問題があった。
【０００９】
本発明は、上記に鑑みてなされたものであって、マクロセル内または周辺に多数のフェムトセルが存在する場合に、端末がマクロセルからフェムトセルへの円滑なハンドオーバを行うことができるモニタセルリスト通知方法および通信システムを得ることを目的とする。
【課題を解決するための手段】
【００１０】
上述した課題を解決し、目的を達成するために、本発明は、端末と、前記端末と通信中の標準セルと、前記標準セルのカバレッジ内または周辺に前記標準セルよりセル半径の小さい小セルが存在する通信システムにおいて、前記標準セルが、前記端末を前記小セルにハンドオーバさせるために、ハンドオーバ先の候補となる候補セルの受信品質を測定するための情報を含むモニタセルリストを前記端末に通知する場合のモニタセルリスト通知方法であって、前記小セルと少なくとも一部のカバレッジが重なるランドマークセルを配置するランドマーク配置ステップと、前記端末が、前記標準セルから送信される測定要求に基づき前記ランドマークセルの受信品質を測定するランドマークセル受信品質測定ステップと、前記端末が、前記受信品質を前記標準セルに報告する受信品質報告ステップと、前記標準セルが、前記報告に基づいて受信品質が最も良いランドマークセルを選択するランドマークセル選択ステップと、前記標準セルが、前記選択したランドマークセルと少なくとも一部のカバレッジが重なる前記小セルの情報を、前記モニタセルリストに含めて前記端末に通知するモニタセルリスト通知ステップと、を含むことを特徴とする。
【発明の効果】
【００１１】
この発明によれば、マクロセルのカバレッジ内または周辺のフェムトセルの位置に基づいてフェムトセルをグループ分けし、端末がランドマークセルの無線品質を測定することにより端末がどのグループの近くにいるかを判断できるようにランドマークセルを配置して、マクロセルは、端末が測定した無線品質に基づいてモニタセルリストに含めて送信するフェムトセルを選択するようにしたので、端末がマクロセルからフェムトセルへの円滑なハンドオーバを行うことができる、という効果を奏する。
【発明を実施するための最良の形態】
【００１２】
以下に、本発明にかかるモニタセルリスト通知方法および通信システムの実施の形態を図面に基づいて詳細に説明する。なお、この実施の形態によりこの発明が限定されるものではない。
【００１３】
実施の形態１．
図１は、本発明にかかる通信システムの実施の形態１の構成例を示す図である。図１に示すように、本実施の形態の通信システムでは、移動可能な無線端末である端末１と、一般的な基地局などにより生成されるマクロセル２００と、小型の基地局などにより生成されるフェムトセル３００〜３０４と、セル半径がマクロセルより小さくフェムトセル３００〜３０４より大きいセルであるランドマークセル４００，４０１と、で構成される。フェムトセル３００〜３０４のカバレッジは、マクロセル２００のカバレッジ内またはマクロセル２００のカバレッジと部分的に重なる位置に存在する。
【００１４】
本実施の形態のランドマークセル４００，４０１は、あらかじめマクロセル２００のカバレッジ内またはマクロセル２００の周辺の所定の位置に配置されるセルである。本実施の形態では、ランドマーク４００セルのカバレッジ内にフェムトセル３００が存在し、フェムトセル３０１はランドマークセル４００のカバレッジと一部重複する位置に存在することとする。また、ランドマークセル４０１の内側にフェムトセル３０２が存在することとする。
【００１５】
本実施の形態では、ランドマークセル４００，４０１とフェムトセル３００〜３０４との位置関係はランドマークセル４００，４０１を配置する際に把握され、マクロセル２００内で保持されていることとする（たとえば、マクロセル２００の基地局が保持するなど）。
【００１６】
つづいて、本実施の形態の動作について説明する。ここでは、端末１は、マクロセル２００のカバレッジ内かつフェムトセル３００のカバレッジ内に存在していることとし、端末１が、マクロセル２００からフェムトセル３００へハンドオーバする場合について説明する。
【００１７】
まず、マクロセル２００は、端末１にランドマークセル４００，４０１の通信品質を測定させるために、モニタセルリストにランドマークセル４００，４０１の情報を含めて端末１に通知する。モニタセルリストは、端末が測定すべきセルを指定するリストであり、端末１に測定を行わせたいセルについて、それぞれのセルに対応するセルＩＤ（Identifier），周波数，ＣＤＭＡ（Code  Division  Multiple  Access）の場合のコードなど、端末が無線品質を測定するために必要な情報を含んでいる。また、モニタセルリストはマクロセル２００を生成する基地局が、報知チャネルを用いてセルに在圏するすべての端末に対して同一の情報を報知しても良いし、各端末と個別に確立した無線チャネルを用いて端末それぞれに個別の情報を通知しても良い。
【００１８】
つぎに、端末１は、マクロセル２００から通知されたモニタセルリストに含まれるランドマークセル４００，４０１の情報に基づいてランドマークセル４００，４０１の無線品質を測定する。そして、端末１は、マクロセル２００から指定された測定結果の報告条件および周期に従ってマクロセル２００にランドマークセル４００，４０１の無線品質の測定結果を報告する。本実施の形態では測定結果の報告条件および周期はモニタセルリストに含まれていることとするが、これに限らず、報知チャネルや個別に確立した無線チャネルを用いてモニタセルリストとは別に端末１に通知するようにしても良い。測定結果の報告条件は、測定のための条件を示しているが、高い測定精度が要求される場合には報告条件を厳しくし（たとえば、測定のために用いる受信信号の量を増やす、統計処理の精度を上げるなど）、測定を迅速に行うことが要求される場合には報告条件を緩めるようにしてもよい。
【００１９】
図１に示すように、端末１は、ランドマークセル４００のカバレッジ内に位置しており、ランドマーク４０１のカバレッジ内には位置していない。したがって、端末１は、ランドマーク４００については無線品質が良く、ランドマークセル４０１については無線品質が悪いまたは測定不可であるという測定結果をマクロセル２００に報告することになる。
【００２０】
そして、マクロセル２００は、端末１から報告された測定結果に基づいて、ランドマークセル４００の無線品質が良いことから端末１がランドマークセル４００のカバレッジ内に位置していることを認識する。そこで、マクロセル２００は、ランドマークセル４００の近隣に存在する（ランドマークセル４００のカバレッジ内またはランドマークセル４００と一部カバレッジが重複する位置に存在する）フェムトセル３００，３０１の情報をモニタセルに含めて端末１に通知する。
【００２１】
端末１は、マクロセル２００から通知されたモニタセルリストに含まれるフェムトセル３００，３０１の情報に基づいてフェムトセル３００，３０１の無線品質を測定する。そして、その測定結果をマクロセル２００から指定された測定結果の報告条件および周期に従ってマクロセル２００に通知する。端末１は、図１に示すようにフェムトセル３００のカバレッジ内に位置し、フェムトセル３０１のカバレッジ内には位置していないため、端末１は、フェムトセル３００については無線品質が良く、フェムトセル３０１については無線品質が悪いまたは測定不可であるという測定結果をマクロセル２００に報告することになる。
【００２２】
そして、マクロセル２００は、端末１から報告された測定結果に基づいて、端末１がフェムトセル３００の近隣に位置することを把握し、端末１をマクロセル２００からフェムトセル３００にハンドオーバさせることが適切であると判断することができる。
【００２３】
なお、マクロセル２００が端末１に対して指定する測定結果の報告条件および周期は、ランドマークセル４００，４０１について測定する場合と、フェムトセル３００〜３０４について測定する場合で異なるようにしてもよい。たとえば、ランドマークセル４００，４０１の測定結果に元に基づいて端末１の位置を把握する場合の通知条件は、フェムトセル３００〜３０４の測定結果の報告条件より緩く設定してもよい。また、ランドマークセル４００，４０１の測定結果の報告周期をフェムトセル３００〜３０４の測定結果の報告周期より短く設定してもよい。このように、報告条件を緩くしたり報告周期を短くしたりすることにより、ランドマークセルを用いた端末１の位置の把握の速度を向上させることができる。
【００２４】
なお、ランドマークセル４００，４０１は、通信手段を具備して他のセル（マクロセル２００，フェムトセル３００〜３０４）と同様に、端末１がランドマークセル内で通常の通信ができるように構成しても良い。また、ランドマークセル４００，４０１は、端末１の位置を把握するための最小限の機能を具備することとし、端末１がランドマークセル４００，４０１のカバレッジ内では通常の通信ができないようにしても良い。後者の場合、無線リソース（帯域やコード等）が有効に利用されないことから、ランドマークセル４００，４０１を配置する数は最小限とすることが望ましい。
【００２５】
図１で示した例は、マクロセル２００とフェムトセル３００〜３０４の位置関係に対して、配置するランドマークセルの数を最小とする一例である。図１では、ランドマークセル４００，４０１のカバレッジ内に位置しないフェムトセル３０３，３０４が存在する。たとえば、端末１がフェムトセル３０３のカバレッジ内に位置している場合には、端末１では、ランドマークセル４００，４０１のいずれについても無線品質が悪いまたは測定不可という測定結果となる。マクロセル２００は、このようにランドマークセル４００，４０１のいずれについても無線品質が悪いまたは測定不可という測定結果が端末１から報告された場合には、端末１がランドマークセル４００，４０１のいずれのカバレッジ内にも位置しないと判断する。この場合、マクロセル２００は、端末１にフェムトセル３０３，３０４の情報を含むモニタセルリストを通知する。そして、端末１は、通知されたモニタセルリストに基づいてフェムトセル３０３，３０４の無線品質の測定を行い、フェムトセル３０３の無線品質が良いという測定結果をマクロセル２００に報告する。したがって、マクロセル２００は、報告された測定結果に基づいて端末１をマクロセル２００からフェムトセル３０３へハンドオーバさせることが適切であると判断することができる。
【００２６】
なお、端末１がフェムトセル３００〜３０４のどのカバレッジ内にも位置しない場合にも、ランドマークセル４００，４０１の両方の無線品質の測定結果は悪いまたは測定不可となる。この場合にも、フェムトセル３０３，３０４の情報を含むモニタセルリストがマクロセル２００から通知されるが、端末１から報告されるフェムトセル３０３，３０４についての無線品質の測定結果がいずれも悪いまたは測定不可となる。この場合、マクロセル２００は、ハンドオーバ先の適切なフェムトセルは無いと判断し、マクロセル２００による通信を継続すればよい。
【００２７】
ランドマークの配置は、このように、たとえば、マクロセルのカバレッジ内またはカバレッジが一部重複するフェムトセルを、位置によっていくつかのグループにわけ、そのグループが区別できるようにランドマークセルを配置すればよい。
【００２８】
このように、本実施の形態では、マクロセル２００のカバレッジ内または周辺（カバレッジが一部重なる位置）のフェムトセル３００〜３０４の位置に基づいてフェムトセルをグループ分けし、端末１がランドマークセル４００，４０１の無線品質を測定することにより端末がどのグループの近くにいるかを判断できるようにランドマークセル４００，４０１を配置するようにした。そして、マクロセル２００は、無線品質の測定結果に基づいて端末１が近くにいると判断したグループをもとめ、そのグループに属するフェムトセルの情報をモニタセルリストに含めて端末１に通知するようにした。このため、端末１が無線品質を測定できるセルの数より、マクロセル２００の内部および周辺のフェムトセルが多い場合でも、マクロセル２００は、端末１のハンドオーバ先候補を適切に選択することができ、マクロセルからフェムトセルへの円滑なハンドオーバを行うことができる。
【００２９】
実施の形態２．
図２は、本発明にかかる通信システムの実施の形態２の構成例を示す図である。図２に示すように、本実施の形態では、実施の形態１の通信システムからランドマークセル４００，４０１を削除しているが、それ以外は実施の形態１と同様である。実施の形態１と同様の構成要素は実施の形態１と同一の符号を付して説明を省略する。また、図２に示した、到達範囲１００は端末１の送信信号の到達範囲であり、受信装置２はマクロセル２００の中心に位置する基地局などの受信機能を有する装置である。端末１はオムニ型アンテナを備えることとして、到達範囲１００のような信号の到達範囲を形成する。なお、端末１がオムニ型アンテナ以外のアンテナを備えてもよい。その場合にはアンテナの特性に応じて到達範囲の形状が変わるが、本実施の形態の動作を同様に実施することができる。
【００３０】
実施の形態１では、ランドマークセルをあらかじめ配置して端末１の位置を判断するようにしたが、本実施の形態ではランドマークセルを用いずに端末１が送信する無線信号を端末１の周辺に存在するフェムトセルで測定することにより端末１の位置を把握する。
【００３１】
マクロセル２００は、端末１との通信確立時にマクロセル２００のカバレッジ内および周辺に位置するフェムトセル３００〜３０４に対して端末１からの送信信号の測定を要求する。この要求には端末１からの送信信号の測定に必要な情報，測定内容，報告条件，報告内容が含まれる。端末送信信号の測定に必要な情報とは、たとえば、ＣＤＭＡによる多元接続を行っているシステムの場合には測定対象の端末１が使用しているコード等であり、また、ＴＤＤによる時分割多重を行っているシステムでは測定端末の使用する時間スロット等である。測定内容としては、たとえば、フェムトセルでの端末１からの送信信号の受信レベル，パスロス等を含むことができる。ここでは、受信レベルを測定内容とする。
【００３２】
報告条件としては、ここでは、一例として「端末１からの送信信号の受信レベルが、マクロセル２００での端末１の受信レベル（以下、参照受信レベルという）を上回ったときおよび下回ったとき」を設定することとする。ただし、端末１からの送信信号の受信レベルが参照受信レベルより大きい場合には、報告条件の「上回った」ときとして報告要求があれば常に報告するが、端末１からの送信信号の受信レベルが参照受信レベルより小さい場合には、はじめから参照受信レベルより小さい場合には報告せず、「上回った」状態から「下回った」状態に変化したときのみ報告する。なお、参照受信レベルは、マクロセル２００から各フェムトセルに通知されていることとする。報告内容としては、参照受信レベルを「上回った」または「下回った」というイベントと、端末１からの送信信号の受信レベルと、を含むこととする。
【００３３】
一方、フェムトセル３００〜３０４は、マクロセル２００から上述のような測定要求を受信した場合、自セル配下の端末との通信を行いながら端末１からの送信信号を受信しなければならない。フェムトセル３００〜３０４と通信中の端末は、カバレッジの小さいフェムトセル内で信号が到達するだけの電力で信号を送信しているのに対し、端末１はカバレッジの大きいマクロセル２００の受信装置２に信号が到達するように大きな電力で信号を送信している。このため、フェムトセル３００〜３０４は、自セルと通信中の端末の送信信号を受信しようと受信感度を下げると端末１の送信信号の受信品質が劣化する。また、逆に端末１の送信信号を受信しようと受信感度を上げると自セルと通信中の端末の送信信号の受信品質に劣化が生じる。
【００３４】
このような問題に対処するために、マクロセル２００はフェムトセル３００〜３０４に対して、端末１の送信電力情報を測定要求に含めて送信するようにしても良い。このときの送信電力情報としては、端末１が送信した送信電力値（端末１が自身の送信電力値をマクロセル２００に送信している場合）、マクロセル２００の受信装置２が受信した端末１からの送信信号の受信レベルや伝搬遅延等、または受信レベルや伝搬遅延などの値から予測した端末の送信電力値等を用いることができる。そして、各フェムトセルはマクロセルから受信した端末の送信電力情報に基づいて、自身と通信中の端末の信号受信時と端末１から送信された信号の受信時とで、受信器の感度を切り替えるようにして、自身と通信中の端末についても端末１についても受信品質の劣化を防ぐことができる。なお、フェムトセル３００〜３０４が複数の受信器を具備し、受信器の１つを端末１の送信信号の受信品質測定に使用できる場合には、マクロセル２００から受信した端末１の送信電力情報に基づいてその受信器の感度設定を行う。
【００３５】
上述のように、フェムトセル３００〜３０４は、マクロセル２００から測定要求を受信すると、測定要求に基づいて端末１からの送信信号の測定を開始する。ここでは、測定内容を受信レベルとしているため受信レベルを測定する。受信レベルは端末１により近くに位置するセルで、より高くなる。図２の例では、フェムトセル３００，３０１の中心部（基地局などの受信部が存在する）は、マクロセル２００の受信装置２より端末１に近い位置にある。このため、「各フェムトセルでの端末の送信信号の受信レベルが、参照受信レベルを上回ったときおよび下回ったとき」に報告するという報告条件から、フェムトセル３００，３０１がマクロセル２００に対して、参照受信レベルを「上回った」というイベントと端末１の送信信号の受信レベルを報告することになる。フェムトセル３０２〜３０４は、端末１からの送信信号の受信レベルが測定開始時から参照受信レベルより低いためマクロセル２００に何も報告しない。なお、ここでは、フェムトセルの中心部に受信部があるとして説明しているが、受信部が各セルのカバレッジの中心に位置しなくてもよく、その場合には受信部のある位置を中心部と考えればよい。
【００３６】
マクロセル２００は、フェムトセル３００，３０１から端末１からの送信信号の受信レベルが参照受信レベルを上回ったという報告を受信すると、端末１はフェムトセル３００，３０１の近傍にいると判断できるため、フェムトセル３００，３０１の情報をモニタセルリストに含めて端末１に通知する。なお、図２の例では、到達範囲１００にフェムトセル３００，３０１しか存在していないが、到達範囲１００に多数のフェムトセルが存在し、端末１からの送信信号の受信レベルが参照受信レベルを上回るフェムトセルの数が、モニタセルリストに含めることのできるセル数を上回る数ことも考えられる。このような場合には、マクロセル２００は、たとえば、受信した報告に含まれている受信レベルが大きい順にモニタセルリストに含めるフェムトセルを選択する。
【００３７】
つぎに、マクロセル２００からモニタセルリストを通知された端末１は、以降、所定のハンドオーバ手順に従ってフェムトセル３００，３０１の無線品質を測定しマクロセル２００へ報告する。このときのハンドオーバ手順は、通常実施されるハンドオーバ手順であればどのようなものでもよい。ここでは、端末１は測定した無線品質が最も良いセルをマクロセル２００に通知することとする。
【００３８】
たとえば、端末１がフェムトセル３００のカバレッジ内に位置する場合、端末１は所定のハンドオーバ手順に従ってフェムトセル３００，３０１の無線品質の測定結果をマクロセル２００へ報告し、マクロセル２００はこの報告に基づいて端末１を無線品質の良いフェムトセル３００へハンドオーバさせることができる。
【００３９】
一方、端末１がフェムトセル３００の近傍には位置するがカバレッジ内には位置していない場合、または端末１が移動によりフェムトセル３００から離れて行く場合（モニタセルリスト送信までの処理ではフェムトセル３００のカバレッジ内に存在したが、ハンドオーバ手順では移動によりフェムトセル３００のカバレッジからはずれた場合など）には、フェムトセル３００へのハンドオーバは実施されず、他のハンドオーバ先フェムトセルを決定するためのモニタセルリスト更新動作が行われる。図３は、端末１が移動した場合のモニタセルリスト更新動作を説明するための図である。以下、図３を用いてモニタセルリスト更新動作を説明する。
【００４０】
端末１がフェムトセル３００付近から移動しフェムトセル３０３のカバレッジ内に位置しているとする。端末１からの送信信号が受信装置２に到達するための必要最小限の送信電力で通信が行われるようマクロセル２００と端末１との間で送信電力制御が行われるとする。このとき、端末１と受信装置２の間の距離は小さく無線伝搬環境は良好であるため、端末１の送信信号の到達範囲１００は図３に示すように受信装置２を含む最小限の範囲となる。
【００４１】
上記のような送信電力制御が行われた結果、端末１からの送信信号はマクロセル２００とフェムトセル３０３にのみ到達可能となる。したがって、それ以前に端末１からの送信信号を受信していたフェムトセル３００，３０１では端末１の送信信号の受信レベルが測定不能、または非常に小さくなる。このため、フェムトセル３００，３０１はマクロセル２００に対して、参照受信レベルを下回ったというイベントと端末１の送信信号の受信レベルとを報告する。
【００４２】
マクロセル２００は、フェムトセル３００，３０１からの報告に基づいて端末１がフェムトセル３００，３０１の近傍から離れた位置に移動したと判断し、モニタセルリストからフェムトセル３００，３０１を削除する。一方、フェムトセル３０３では、端末１が自セルのカバレッジ内に移動し、端末１の送信信号の受信レベルが参照受信レベルより大きくなるため、参照受信レベルを上回ったというイベントと端末１の受信レベルをマクロセル２００に報告する。なお、ここでは、図３に示すように端末１は、受信装置２よりフェムトセル３０３の中心部に近い位置に移動したとする。
【００４３】
つぎに、マクロセル２００は、フェムトセル３０３からの報告に基づいて、端末１がフェムトセル３０３の近傍に位置していると判断し、フェムトセル３０３の情報を含めた新たなモニタセルリストを端末１に通知する。なお、このとき通知されるモニタセルリストでは、上述のフェムトセル３００，３０１からの参照受信レベルを下回ったという報告に基づいてフェムトセル３００，３０１が削除されている。
【００４４】
新たなモニタセルリストを受信した端末１は、以降、所定のハンドオーバ手順に従ってフェムトセル３０３の無線品質を測定し、マクロセル２００に報告する。ここでは、端末１はフェムトセル３０３のカバレッジ内に位置しているため、端末１はフェムトセル３０３の無線品質の測定結果をマクロセル２００に報告し、マクロセル２００はこの報告に基づいて端末１をフェムトセル３０３にハンドオーバさせることができる。
【００４５】
なお、以上の説明では、各フェムトセルと端末との位置関係を知る指標として端末の送信信号の各フェムトセルにおける受信レベルを用いるために受信レベルを測定内容としたが、この指標は各フェムトセルと端末との位置関係が相対的に判断できるものであれば何でも良く、たとえばパスロスを用いても良い。
【００４６】
このように、本実施の形態では、マクロセル２００が、フェムトセル３００〜３０４に、端末１からの送信信号の受信レベルを測定して測定結果を報告させるようにした。そして、マクロセルは、その報告に基づいてモニタセルリストに含めるフェムトセルを選択するようにした。このため、マクロセル２００は、端末１の近傍に位置するフェムトセルを適切に選択してモニタセルリストに含めることができ、ハンドオーバ先を適切に選択することができる。
【００４７】
実施の形態３．
図４は、本発明にかかる通信システムの実施の形態３の構成例を示す図である。図４に示すように、本実施の形態の通信システムは、実施の形態１と同様の端末１（図４では図示していない）と、フェムトセル３０１〜３０３，３１０〜３１２，３２０，３３０，３４０〜３４２，３５０〜３５２，３６０，３７０と、実施の形態１と同様のマクロセル２００とで構成される。フェムトセル３０１〜３０３，３２０，３３０，３４０〜３４２，３５０〜３５２，３６０，３７０は、位置関係は実施の形態１と異なるが実施の形態１のフェムトセル３００〜３０４と同様のセルである。マクロセル２００の内部または周辺には、多数のフェムトセルが存在するが、図４では説明に用いないフェムトセルは省略している。また、受信装置２は実施の形態２の受信装置２と同様である。以下、実施の形態１または実施の形態２と同様の機能を有する構成要素は実施の形態１または実施の形態２と同一の符号を付して説明を省略する。
【００４８】
実施の形態２では、マクロセル２００と通信している端末１の送信信号をフェムトセル３００〜３０４で受信し、送信信号の受信品質の測定結果が良いフェムトセルをモニタセルリストに含めるようにした。本実施の形態では、端末１の送信信号の受信品質の測定結果が良いフェムトセルに加え、それらのフェムトセルの周辺に存在しているフェムトセルもモニタセルリストに含める。
【００４９】
端末１は、マクロセル２００と通信中であるとする。本実施の形態では、マクロセル２００の内部または周辺に多数存在するフェムトセルのうち、端末１からの送信信号の測定を行うフェムトセルを図４の黒丸で示したフェムトセル３１０，３２０，…，３７０に限定する。本実施の形態では、これら端末１からの送信信号の測定を行うフェムトセルをランドマークセルと呼ぶこととする。実施の形態１では、ランドマークセルが信号を送信して、端末１がその信号を受信することによりマクロセル２００が端末１の位置を把握した。これに対し本実施の形態では、ランドマークセルが端末１からの送信信号の測定を行い、その測定結果に基づいてマクロセル２００が端末１の位置を把握する。
【００５０】
本実施形態では、フェムトセルをその位置に基づいて複数のグループにグループ分けする。図４の一点鎖線で示した領域６００〜６０８は、フェムトセルのグループを定義する仮想的な領域である。たとえば、領域６００内に存在するフェムトセル３０１〜３０３が１つのグループを形成し、領域６０１内に存在するフェムトセル３１０〜３１２が別のグループを形成する。同様に、他の領域でも、領域内に含まれるフェムトセルを１つのグループとする。領域の境界をまたいで存在するフェムトセルが存在する場合には、たとえば、領域とセルのカバレッジとが重複する部分が多い方のグループにそのフェムトセルを含めるようにすればよい。そして、グループに含まれるフェムトセルのうちの１つをランドマークセルとして選択する。
【００５１】
領域の分け方については、ここでは、図４のように分割したが、マクロセル２００のカバレッジのどの位置に端末１が存在しても各領域のランドマークセル（後述のように受信装置２を含んでもよい）のいずれかで端末１の送信信号を漏れなく受信できるように、かつ領域に属するフェムトセル数が同程度になるように設定すれば、どのように分割してもよい。また、各領域を円，扇形などの単純な形状をもつように分割する必要はなく、実際の地形，構造物，フェムトセルの配置の偏りなどによって複雑な形状であっても良い。また、各領域は互いにオーバラップしていても良い。
【００５２】
つづいて、本実施の形態の動作について説明する。以下、端末１の位置によって動作が異なるため、（１）端末１がマクロセル２００の中心付近に存在する場合，（２）端末１がマクロセル２００の中間部に存在する場合，（３）端末１がマクロセル２００の周辺部に存在する場合の３つに分けて説明する。
【００５３】
まず、（１）端末１がマクロセル２００の中心付近に存在する場合について説明する。図５は、マクロセル２００の中心付近の領域６００を拡大した図であり、マクロセル２００と通信中の端末１が、受信装置２の近傍に位置している場合の端末１の送信信号の到達範囲１００と各フェムトセルとの位置関係を示している。
【００５４】
図５に示すように、端末１が受信装置２の近傍に位置している場合には、送信電力制御により到達範囲１００は受信装置２を含む最小限の範囲となるため、いずれのフェムトセルにおいても端末１の送信信号を受信できない場合がある。したがって、マクロセル２００の受信装置２を含む領域６００にはランドマークセルを設けない。その代わりに、受信装置２自身（マクロセル２００自身）が、端末１の送信信号の受信品質を測定し、端末１が領域６００内に存在するか否かを判定する。この場合マクロセル２００自身をランドマークセルと考えることができる。マクロセル２００は端末１が領域６００内に存在すると判定した場合には、領域６００に対応するグループに属するフェムトセル３０１〜３０３の情報をモニタセルに含めて端末１に通知する。以降、実施の形態２と同様に所定のハンドオーバ手順が実施される。
【００５５】
つぎに、（２）端末１がマクロセル２００の中間部に位置している場合（図４の領域６０１〜６０４に位置している場合）について説明する。マクロセル２００は、端末１の送信信号の受信品質に基づいて受信装置２と端末１のおおよその距離を算出し、端末１が領域６０１〜６０４内のいずれかの範囲に位置していると判定したとする。端末１は移動可能なため、領域６００の方向に移動している可能性があり、逆に領域６０５〜６０８へ向かって移動している可能性もある。そのためマクロセル２００は、端末１とのおおよその距離を算出した時点で端末１が存在すると判定した領域６０１〜６０４のランドマークセル３１０，３２０，３３０と、端末１が移動する可能性のある領域６００および領域６０５〜６０８のランドマークセル３４０，３５０，３６０，３７０に対して、実施の形態２で各フェムトセルに要求したのと同様に端末１からの送信信号の受信品質を測定するよう要求する。なお、領域６００については、上述のとおりマクロセル２００の受信装置２がランドマークセルの役割を持つため、要求を送信する必要はなく、マクロセル２００が自身で端末１からの送信信号の受信品質を測定する。
【００５６】
このとき各ランドマークからマクロセル２００に報告する報告条件を「端末１からの送信信号の受信レベルが、所定のしきい値を上回ったときおよび下回ったとき」とし、所定のしきい値は、マクロセル２００での端末１の受信品質より一定量低い値を設定する。設定したしきい値は、マクロセル２００から各ランドマークに通知する。測定の要求に含めて通知するようにしてもよい。このようにしきい値を定めるのは、本実施の形態では、後述のようにモニタセルリストに、要求に基づいて受信品質を測定するランドマークセルだけでなくランドマークセルが属する領域の他のフェムトセルも含まれ、他のフェムトセルが端末１からの送信信号の受信品質が良い可能性がある（他のフェムトセルの方がランドマークセルより端末１に近い可能性がある）ためである。
【００５７】
各ランドマークセルではマクロセル２００からの測定の要求に従って端末１の送信信号の受信品質を測定し、受信品質が上記の報告条件を満たすときにマクロセル２００へ受信品質を報告する。以降の動作は、端末１の位置によって異なるため、さらに、以下の（ａ）端末１が領域の中央付近に位置する場合，（ｂ）領域６００，６０１，６０２の境界付近に端末１が位置している場合の２つの代表例を用いて説明する。
【００５８】
まず、（ａ）端末１が領域の中央付近に位置する場合について説明する。図６は、端末１が領域６０１の中央付近に位置する場合の到達範囲１００とフェムトセルとの位置関係を示す図である。ここでは、図６に示すような位置関係を仮定して説明する。ランドマークセル３１０は、上述のマクロセル２００からの測定の要求に従って端末１の送信信号の受信品質を測定し、測定結果がしきい値を上回るため、マクロセル２００に測定結果を報告する。なお、ランドマーク３１０以外のランドマークセルでは、端末１からの送信信号の受信品質は測定不可であるかまたは非常に悪くしきい値を満たさない。マクロセル２００は、ランドマークセルから報告された端末１の受信品質が、自身が測定した端末１の受信品質より良い場合に、ランドマークセル３１０の属する領域６０１に属するフェムトセル３１０〜３１２の情報を含むモニタセルリストを端末１に送信する。
【００５９】
図７は、図６に示した配置例で報告される受信品質のプロファイルの一例を示す図である。しきい値Ａは、上述の報告のためのしきい値（マクロセル２００での端末１の受信品質より一定量低い値）を示している。このように、図６の例では、ランドマークセル３１０での端末１の受信品質が、マクロセル２００での受信品質にくらべて大きいため、マクロセル２００はフェムトセル３１０〜３１２の情報を含むモニタセルリストを端末１に送信する。
【００６０】
つぎに、（ｂ）領域６００，６０１，６０２の境界付近に端末１が位置している場合について説明する。図８は端末１が３つの領域（領域６００，６０１，６０２）の境界付近に位置している場合の到達範囲１００と各フェムトセルの位置関係を示す図である。図８に示す位置関係にある場合、端末１の送信信号の受信品質を測定できるランドマークセルはランドマークセル３１０とランドマークセル３２０である。したがって、マクロセル２００は、ランドマークセル３１０，３２０から受信品質の報告を受ける。
【００６１】
図９は、図８で示した配置例で報告される受信品質のプロファイルの一例を示す図である。図９に示すように、ランドマークセル３１０とランドマークセル３２０とマクロセル２００での受信品質が同等となっているため、マクロセル２００は、ランドマークセル３１０，３２０とマクロセル２００の受信装置２が属する領域６００〜６０２に属するフェムトセル３０１〜３０３，３１０〜３１２，３２０の情報をモニタセルリストに含めて端末１に送信する。なお、受信品質が同等を判定する条件は、完全に数値が一致する場合だけでなく、受信品質の差が所定の範囲内にはいる場合にも含むようにしてもよい。
【００６２】
この例のようにモニタセルリストに含めるフェムトセルが複数の領域に渡る場合、候補となるフェムトセル数がモニタセルリストに含めることができる最大セル数を上回る可能性がある。その場合にはモニタセルリストに含めることができる数の任意のフェムトセルを選択してモニタセルリストに含めようにしてもよいし、または、モニタセルリストに含むべきフェムトセルに対して、実施の形態２と同様に測定の要求を行い、さらにモニタセルリストに含めるモニタセルリストを選ぶようにしてもよい。
【００６３】
以上のようにモニタセルリストが端末１に送信された後は、実施の形態２と同様に所定のハンドオーバ手順が実行される。
【００６４】
つぎに、（３）端末１がマクロセル２００の周辺部に位置している場合について説明する。マクロセル２００は、（２）端末１がマクロセル２００の中間部に位置している場合と同様に、端末１の送信信号の受信品質に基づいてマクロセル２００と端末１とのおおよその距離を算出する。そして、マクロセル２００は、算出した距離に基づいて端末１が領域６０５〜６０８のいずれかの領域に位置していると判定する。端末１は移動可能なため、領域６００〜６０３の方向に移動している可能性があり、逆にマクロセル２００のカバレッジから遠ざかる方向へ向かって移動している可能性もある。
【００６５】
（３）の場合には、上記の（２）の場合と異なり、端末１がマクロセル２００のカバレッジから遠ざかる方向へ移動している場合には、マクロセル２００内のフェムトセルにハンドオーバさせる必要はなく、マクロセル２００に隣接する他のマクロセルがハンドオーバ先候補となる。したがって、マクロセル２００は、距離を算出した時点で端末１が存在すると思われる領域６０５〜６０８のランドマークセル３４０，３５０，３６０，３７０と、端末１が移動する可能性のある領域６０１〜６０４のランドマークセル３１０，３２０，３３０に対して、実施の形態２と同様に端末１の受信品質の測定を要求する。
【００６６】
このとき各フェムトセルからマクロセル２００に報告する条件を「端末１からの送信信号の受信レベルが、所定のしきい値を上回ったときおよび下回ったとき」とする。所定のしきい値は、（２）の場合とは異なり、マクロセル２００での端末１の受信品質より一定量高い値を設定する。設定したしきい値は、マクロセル２００から各ランドマークに通知する。測定の要求に含めて通知するようにしてもよい。このようにしきい値を設定するのは、送信電力制御が行われている（３）の場合には、領域６０５〜６０８，６０１〜６０４内に存在するフェムトセルのうち、端末１の送信信号が到達するどのフェムトセルでも、受信品質がマクロセル２００での端末１の送信信号の受信品質を下回ることがないためである。
【００６７】
各ランドマークセルではマクロセル２００からの測定の要求に従って端末１の送信信号の受信品質を測定し、受信品質が上記の報告条件を満たすときにマクロセル２００へ受信品質を報告する。以降の動作は、端末１の位置によって異なるため、さらに、以下の（ｃ）端末１が領域６０５の中央付近に位置する場合，（ｄ）端末１が領域６０１，６０５の境界付近に位置している場合の２つの代表例を用いて説明する。
【００６８】
まず、（ｃ）端末１が領域６０５の中央付近に位置する場合について説明する。図１０は、端末１が領域６０５の中央付近に位置している場合の到達範囲１００とフェムトセルの位置関係を示す図である。このとき端末１の送信信号の受信品質が良いランドマークセルはランドマークセル３１０とランドマークセル３４０である。したがって、マクロセル２００はランドマークセル３１０，３４０から受信品質の報告を受ける。図１１は、図１０で示した配置例で報告される受信品質のプロファイルの一例を示す図である。図１１に示すように、ランドマークセル３４０での受信品質がランドマークセル３１０での受信品質より大きいため、マクロセル２００はランドマークセル３４０の属する領域６０５に属するフェムトセル３４０〜３４２の情報を含むモニタセルリストを端末１に送信する。
【００６９】
つぎに、（ｄ）端末１が領域６０１，６０５の境界付近に位置している場合について説明する。図１２は、端末１が領域６０１と領域６０５の境界付近に位置しているときの到達範囲１００とフェムトセルの位置関係を示す図である。このとき端末１の送信信号の受信品質が良いランドマークセルは、ランドマークセル３１０とランドマークセル３４０である。したがって、マクロセル２００はランドマークセル３１０，３４０から受信品質の報告を受ける。図１３は、図１２で示した配置例で報告される受信品質のプロファイルの一例を示す図である。図１３に示すように、ランドマークセル３４０での受信品質が最も良く、また、ランドマークセル３１０の受信品質とランドマークセル３４０の受信品質との差が所定の範囲以内であるため（大きな差はない）ため、マクロセル２００はモニタセルリストに領域６０５，６０１に属するフェムトセル３４０〜３４２，３１０〜３１２の情報を含むモニタセルリストを端末１に送信する。
【００７０】
このように、モニタセルリストに含めるフェムトセルが複数の領域に渡る場合に、候補となるフェムトセル数がモニタセルリストに含むことができる最大数を上回る場合には、上記（２）と同様にフェムトセルを選択するようにすればよい。
【００７１】
以上のようにモニタセルリストが端末１に送信された後は、実施の形態２と同様に所定のハンドオーバ手順が実行される。
【００７２】
以上（１）〜（３）の例で説明したように、本実施の形態では、モニタセルリストに情報を含ませるフェムトセルを決定する方法は、受信装置２と端末１との距離によって異なるため、マクロセル２００は端末１の受信品質を測定して（マクロセル２００は端末１と通信しているので常時受信品質を測定できる）、測定結果に基づいてマクロセル２００と端末１の距離を算出する。測定は、所定の周期で行ってもよいし、不定期に行ってもよい。そして、算出した距離に応じて、上記（１）〜（３）で説明した動作のうちのいずれの動作手順を実施するかを決定する。受信装置２と端末１との距離が変わった場合にはその距離に応じて動作手順を切替えて実施する。なお、端末１がマクロセル２００との距離をあまり変えずに移動する場合、たとえば、マクロセル２００の中間部６０１〜６０４内で移動して端末１の送信信号の受信品質を報告するセルが変わった場合には、実施の形態２と同様にモニタセルリスト更新動作を実施するようにすればよい。
【００７３】
なお、本実施の形態では、マクロセル２００と端末１の距離を算出して、算出結果に基づいて動作手順を切替えるようにしたが、マクロセル２００と端末１の距離を算出せずに、受信品質が所定のしきい値を上回ったランドマークセルが属する領域に属するフェムトセルの情報をモニタセルリストに含むようにしてもよい。この場合には、端末１の移動を考慮した領域のフェムトセルを通知しないことになるため、端末１がモニタセルリスト通知後からハンドオーバ実施前に移動した場合には、実施の形態２と同様にモニタセルリスト更新動作を実施すればよい。
【００７４】
なお、本実施の形態でも、各フェムトセルは、自セルと通信中の端末と通信を行いつつ、端末１の測定を行う可能性があるため、実施の形態２と同様に、マクロセル２００が各フェムトセルに対して、端末１の送信電力情報を測定要求に含めて送信するようにして、各フェムトセルが受信感度を切り替えられるようにしもてよい。
【００７５】
このように、本実施の形態では、マクロセル２００の内部および周辺に存在するフェムトセルを位置に基づいてグループ分けし、グループ内の１つのフェムトセルをランドマークセルとして選択しておくようにした。そして、マクロセル２００は、自セルと通信中の端末１の送信信号の受信品質を測定して測定結果に基づいて受信装置２の距離を算出し、距離に基づいて動作手順を決定するようにした。また、各動作手順では、マクロセル２００は、ランドマークセルが測定した端末１の受信品質に基づいて、端末１が存在すると思われるグループを推定し、そのグループとそのグループの周辺のグループに属するフェムトセルをモニタセルリストに含めて端末１に通知するようにした。このため、端末１が無線品質を測定できるセルの数より、マクロセル２００の内部および周辺のフェムトセルが多い場合でも、マクロセル２００は、端末１のハンドオーバ先候補を適切に選択することができ、マクロセルからフェムトセルへの円滑なハンドオーバを行うことができる。
【００７６】
なお、本実施の形態ではランドマークセルを固定したが、複数のランドマークセルの集合を定義しておき、ハンドオーバ制御を行う端末毎に使用するランドマークセルの集合を使い分けるようにしてもよい。この場合、モニタセルリストを更新するための受信品質の測定を行うための負荷を分散させることができる。
【産業上の利用可能性】
【００７７】
以上のように、本発明にかかるモニタセルリスト通知方法および通信システムは、移動端末にハンドオーバ先候補のセル情報を通知する通信システムに有用であり、特に、マクロセル内および周辺に多数のフェムトセルを含む通信システムに適している。
【図面の簡単な説明】
【００７８】
【図１】本発明にかかる通信システムの実施の形態１の構成例を示す図である。
【図２】本発明にかかる通信システムの実施の形態２の構成例を示す図である。
【図３】端末が移動した場合のモニタセルリスト更新動作を説明するための図である。
【図４】本発明にかかる通信システムの実施の形態３の構成例を示す図である。
【図５】マクロセルの中心付近の領域を拡大した図である。
【図６】端末が領域の中央付近に位置する場合の到達範囲とフェムトセルとの位置関係を示す図である。
【図７】図６に示した配置例で報告される受信品質のプロファイルの一例を示す図である。
【図８】端末が３つの領域の境界付近に位置している場合の到達範囲と各フェムトセルの位置関係を示す図である。
【図９】図８で示した配置例で報告される受信品質のプロファイルの一例を示す図である。
【図１０】端末が領域の中央付近に位置している場合の到達範囲とフェムトセルの位置関係を示す図である。
【図１１】図１０で示した配置例で報告される受信品質のプロファイルの一例を示す図である。
【図１２】端末が領域と領域の境界付近に位置しているときの到達範囲とフェムトセルの位置関係を示す図である。
【図１３】図１２で示した配置例で報告される受信品質のプロファイルの一例を示す図である。
【符号の説明】
【００７９】
１  端末
２  受信装置
１００  到達範囲
２００  マクロセル
３００〜３０４，３１１，３１２，３４１，３４２，３５１，３５２  フェムトセル
３１０，３２０，３３０，３４０，３５０，３６０，３７０，４００，４０１  ランドマークセル
６００〜６０８  領域
Ａ  しきい値
【図１】
0004980293.tif 000002
【図２】
0004980293.tif 000003
【図３】
0004980293.tif 000004
【図４】
0004980293.tif 000005
【図５】
0004980293.tif 000006
【図６】
0004980293.tif 000007
【図７】
0004980293.tif 000008
【図８】
0004980293.tif 000009
【図９】
0004980293.tif 000010
【図１０】
0004980293.tif 000011
【図１１】
0004980293.tif 000012
【図１２】
0004980293.tif 000013
【図１３】
0004980293.tif 000014